(57)【特許請求の範囲】
【請求項１】
内型枠と外型枠とをそれぞれ鉛直に組み立て、この内型枠と外型枠との間に鉄筋を配筋し、かつ、コンクリートを打設して可とう性連結部材によって連結されるボックスカルバート本体の一方を成形する際に、前記可とう性連結部材を前記内型枠と前記外型枠との間の上端部に仮固定する可とう性連結部材の仮固定部構造において、前記鉄筋に固定される仮固定部材によって前記可とう性連結部材を仮固定してなることを特徴とする可とう性連結部材の仮固定部構造。
【請求項２】
内型枠と外型枠とをそれぞれ鉛直に組み立て、この内型枠と外型枠との間に鉄筋を配筋し、かつ、コンクリートを打設して可とう性連結部材によって連結されるボックスカルバート本体の一方を成形する際に、前記可とう性連結部材を前記内型枠と前記外型枠との間の上端部に仮固定する可とう性連結部材の仮固定治具において、前記可とう性連結部材の内側に添え付けられ、前記可とう性連結部材を前記外型枠側に押し付けて保持する保持部と、この保持部に突設され、前記内型枠又は前記外型枠の上端部にボルト止めされる固定部とを有して構成してなることを特徴とする可とう性連結部材の仮固定治具。
【請求項３】
内型枠と外型枠とをそれぞれ鉛直に組み立て、この内型枠と外型枠との間に鉄筋を配筋し、かつ、コンクリートを打設して可とう性連結部材によって連結されるボックスカルバート本体の一方を成形する際に、前記可とう性連結部材を前記内型枠と前記外型枠との間の上端部に仮固定する可とう性連結部材の仮固定治具において、前記可とう性連結部材の上端部を挟持する挟持部とを備えた立ち上がり部と、この立ち上がり部に突設され、前記内型枠又は外型枠の上端部にボルト止めされる固定部とを有して構成してなることを特徴とする可とう性連結部材の仮固定治具。
【発明の詳細な説明】
【０００１】
【発明の属する技術分野】
この発明は、内型枠と外型枠とをそれぞれ鉛直に組み立て、この内型枠と外型枠との間に鉄筋を配筋し、かつ、コンクリートを打設して可とう性連結部材によって連結されるボックスカルバート本体の一方を成形する際に、前記可とう性連結部材を前記内型枠と前記外型枠との間の上端部に仮固定する可とう性連結部材の仮固定部構造および可とう性連結部材の仮固定治具に関する。
【０００２】
【従来の技術】
ボックスカルバートは地盤中に連続して埋設され、その中を水が流れるため、その継ぎ手部は水漏れしたりしないように地盤の不同沈下などによる変位に追従できるように構成されていることが必要である。
【０００３】
そこで、当出願人は、先にこの要望に応えて例えば、図６（ａ），（ｂ）  に図示するような可とう性ボックスカルバートを開発した（特開昭６３−１１０３２７  号公報）。
【０００４】
図において、符号１ａと１ｂは鉄筋コンクリートによって矩形断面形の筒状に成形され、かつ、軸方向に隣接して設置されたボックスカルバート本体、２は合成ゴムなどから形成され、隣接するボックスカルバート本体１ａと１ｂとの端面間に双方の周囲に沿って連続し、かつ、双方の端面に埋め込んで取り付けられ、隣接するボックスカルバート本体１ａと１ｂとを連結すると共に、地盤の不同沈下などの際に変形してボックスカルバート本体１ａおよび１ｂの変位を吸収する可とう性連結部材、３はボックスカルバート本体１ａと１ｂとの端面間に可とう性連結部材２の両側に位置し、かつ、ボックスカルバート本体１ａおよび１ｂの周囲に連続して介在され、隣接するボックスカルバート本体１ａと１ｂとの間を塞ぐ、合成ゴムなどからなる目地部材、そして、符号４は矩形状をなすリング状に構成され、かつ、ボックスカルバート本体１ａと１ｂとの端部間に双方に跨がって取り付けられ、ボックスカルバート本体１ａと１ｂとの許容量を越える変位を防止する鋼製カラーである。
【０００５】
また、当出願人は、この可とう性ボックスカルバートの成形方法を開発して出願した（図７（ａ），（ｂ），（ｃ）  参照，「特開平２−１６４９４９号公報」）。
【０００６】
この成形方法には、成形されるボックスカルバート本体１ａ（又は１ｂ）の内側と外側とにそれぞれ鉛直に組み立てられる内型枠４ａと外型枠４ｂとを使用し、最初に、ボックスカルバート本体１ａ又は１ｂの一方（以下「ボックスカルバート本体１ａ」とする）を成形するために内型枠４ａと外型枠４ｂとを組み立て、この内型枠４ａと外型枠４ｂとの間に鉄筋５を内型枠４ａおよび外型枠４ｂの周囲に沿ってかご状に配筋する。次に、この鉄筋５の上端部に可とう性連結部材２を内型枠４ａおよび外型枠４ｂの周囲に沿って帯状に仮固定する。そして、内型枠４ａと外型枠４ｂとの間にコンクリート６を打設してボックスカルバート本体１ａを成形する。次に、同様にして、このボックスカルバート本体１ａの上に、このボックスカルバート本体１ａと可とう性連結部材２によって連結されたボックスカルバート本体１ｂを成形する。
【０００７】
【発明が解決しようとする課題】
従来の可とう性ボックスカルバートは、以上説明したような方法によって成形されるが、内型枠４ａと外型枠４ｂとの間にコンクリート６を打設する間およびこのコンクリート６が充分な強度を発現するまでの間、可とう性連結部材２を確実に仮固定できる方法が特になく、可とう性連結部材２を内型枠４ａと外型枠４ｂとの間の上端部に確実に仮固定する方法の開発が強く望まれていた。
【０００８】
この発明は、以上の要望に応えなされたもので、可とう性連結部材を所定の位置にきわめて簡単にかつ確実に仮固定できることを可能にした可とう性連結部材の仮固定部構造および可とう性連結部材の仮固定治具を提供することを目的とする。
【０００９】
【課題を解決するための手段】
この発明に係る請求項第１項記載の可とう性連結部材の仮固定部構造は、可とう性連結部材は内型枠と外型枠との間の上端部に前記内型枠と外型枠との間に配筋された鉄筋の上端部に固定される仮固定部材によって仮固定されている。
【００１０】
この発明に係る請求項第２項記載の可とう性連結部材の仮固定治具は、可とう性連結部材の内側に添え付けられ、可とう性連結部材を外型枠側に押し付けて保持する保持部と、この保持部に突設され、内型枠又は外型枠の上端部にボルト止めされる固定部とを有して構成されている。
【００１１】
この発明に係る請求項第３項記載の可とう性連結部材の仮固定治具は、可とう性連結部材の上端部を挟持する挟持部を備えた立ち上がり部と、この立ち上がり部に突設され、内型枠又は外型枠の上端部にボルト止めされる固定部とを有して構成されている。
【００１２】
【発明の実施の形態】
実施の形態例１．
図１（ａ），（ｂ）  は、この発明に係る請求項第１項記載の可とう性連結部材の仮固定部構造の一実施例を示し、図において、前記従来例と同一部分には同一符号を付し、その説明を省略する。符号７は内型枠４ａと外型枠４ｂとの間の上端部に水平に取り付けられ、可とう性連結部材２を内型枠４ａと外型枠４ｂとの間の上端部に鉛直に仮固定する仮固定部材である。
【００１３】
仮固定部材７は鉄筋などから形成され、鉄筋５の上端部に内型枠４ａおよび外型枠４ｂに対して垂直に、かつ、内型枠４ａおよび外型枠４ｂの周囲に沿って所定間隔おきに取り付けられている。また、仮固定部材７は可とう性連結部材２の下端部に形成された取付孔２ａを水平に貫通し、かつ、その両端部を鉄筋５に溶接又は結束線で緊結するなどして取り付けられている。
【００１４】
この実施例によれば、可とう性連結部材２を仮固定するために、内型枠４ａおよび外型枠４ｂに特に加工を施す必要がなく、可とう性連結部材２を簡単に仮固定できる効果がある。
【００１５】
実施の形態例２．
図２（ａ），（ｂ）  は、この発明に係る請求項第２項記載の可とう性連結部材の仮固定治具の一実施例を示し、図において、符号８は内型枠４ａの上端部に取り付けられ、可とう性連結部材２を内型枠４ａと外型枠４ｂ間の上端部に仮固定する仮固定治具である。
【００１６】
仮固定治具８は、可とう性連結部材２の内側面部にその周囲に沿って連続して添え付けられ、可とう性連結部材２を外型枠４ｂ側に水平に押し付けて保持する保持部８ａと、この保持部８ａの上端部に突設され、かつ、内型枠４ａの外側面部の上端部に突設されたブラケット９に固定ボルト１０によってボルト止めされ、保持部８ａを固定する固定部８ｂとを有して構成されている。
【００１７】
保持部８ａは取り付けおよび取り外しなどの取り扱いが容易なように複数部分（実施例では２分割）に分割して形成され、固定部８ｂは内型枠４ａの上端部を跨ぐように門形に形成され、かつ、保持部８ａの上端部に内型枠４ａの周囲に沿って所定間隔おきに突設れ、それぞれブラケット９に固定ボルト１０によってボルト止めされている。
【００１８】
なお、固定部８ｂは保持部８ａに溶接するなどして一体的に突設してもよいが、水洗いや運搬などに際して、分解できて取り扱いが容易なようにねじ込み式に突設してもよい。
【００１９】
この実施例によれば、可とう性連結部材２を保持部８ｂによって外型枠４ｂ側に強く押し付けることにより緊張させて支持するので、可とう性連結部材２にたるみなどを生ずることなく正確にしかも簡単に仮固定でき、しかも、繰り返し使用できるのできわめて経済的である。
【００２０】
また、保持部８ｂの可とう性連結部材２との当接面の形状を代えることにより可とう性連結部材２を自由な形状に仮固定できる効果がある。たとえば、実施例に図示するように（図２（ａ）  参照）ボックスカルバートのコーナ部に相当する部分にアールを付けることにより、ボックスカルバートのコーナ部に可とう性連結部材２を曲線状に配置できる。
【００２１】
実施の形態例３．
図３（ａ），（ｂ），（ｃ）  は、この発明に係る請求項第３項記載の可とう性連結部材の仮固定治具の一実施例を示し、図において、符号１１は内型枠４ａの上端部に内型枠４ａの周囲に所定間隔おきに取り付けられ、可とう性連結部材２を内型枠４ａと外型枠４ｂとの間の上端部に吊って仮固定する仮固定治具である。
【００２２】
仮固定治具１１は内型枠４ａの上端部に突設されたブラケット９に固定ボルト１０によって固定される固定部１１ａ  と、この固定部１１ａ  の上端部に逆Ｌ字状に立設された立ち上がり部１１ｂ  と、この立ち上がり部１１ｂ  の先端部に可とう性連結部材２の外側面部に沿って垂設された垂下部１１ｃ  と、立ち上がり部１１ｂ  の両側部に回転自在に取り付けられ、垂下部１１ｃ  とで可とう性連結部材２の上端部を挟持する挟持片１１ｄ  と、立ち上がり部１１ｂ  に回転自在に取り付けられ、かつ、挟持片１１ｄ  と回転自在に連結され、挟持片１１ｄ  を駆動する駆動レバー１１ｅ  とを有して構成されている。
【００２３】
また、垂下部１１ｃ  および挟持片１１ｄ  の可とう性連結部材２との当接面部には、可とう性連結部材２とのなじみを良くして可とう性連結部材２を傷つけたりすることなく確実に挟持できるように、パイプなどからなる緩衝部材１２がそれぞれ取り付けられている。
【００２４】
なお、緩衝部材１２は隣接する垂下部１１ｃ  間および挟持片１１ｄ  間にそれぞれ水平に架け渡して取り付けることもでき、そうすることにより可とう性連結部材２をより安定的に仮固定できる。
【００２５】
このような構成において、垂下部１１ｃ  と挟持片１１ｄ  とが可とう性連結部材２の上端部を挟持する挟持部を構成し、この挟持部によって可とう性連結部材２の上端部を挟んで、可とう性連結部材２を内型枠４ａと外型枠４ｂとの間の上端部に吊って仮固定できる。
【００２６】
この実施例によれば、可とう性連結部材２を特に形状に左右されることなく、簡単にかつ確実に仮固定できる効果がある（図４（ａ），（ｂ）  参照）。
【００２７】
実施の形態例４．
図５（ａ），（ｂ）  は、この発明に係る請求項第３項記載の可とう性連結部材の仮固定治具の他の実施例を示し、図において、符号１３は外型枠４ｂの上端部に外型枠４ｂの周囲に沿って所定間隔おきに取り付けられ、可とう性連結部材２を内型枠４ａと外型枠４ｂ間の上端部に吊って仮固定する仮固定治具である。
【００２８】
仮固定治具１３は、外型枠４ｂの上端部に突設されたブラケット９に固定ボルト１０によってボルト止めされた固定部１３ａ  と、この固定部１３ａ  の上端部に逆Ｌ字状に立設された立ち上がり部１３ｂ  と、この立ち上がり部１３ｂ  に取付ボルト１４によって着脱自在に取り付けられ、立ち上がり部１３ｂ  の先端部とで可とう性連結部材２の上端部を挟持する挟持片１３ｃ  と、立ち上がり部１３ｂ  の先端部に可とう性連結部材２の側面部に沿って垂設され、可とう性連結部材２をたるみや沈みなどを起こさないように保持するガイド部１３ｄ  とを有して構成されている。
【００２９】
また、挟持片１３ｃ  の可とう性連結部材２との当接部には、可とう性連結部材２とのなじみを良くして可とう性連結部材２を傷つけたりすることなく確実に挟持できるように、パイプなどからなる緩衝部材１２がそれぞれ取り付けられている。
【００３０】
なお、緩衝部材１２は隣接する挟持片１３ｃ  間に水平に架け渡して取り付けることもでき、そうすることにより可とう性連結部材２をより安定的に仮固定できる。
【００３１】
このような構成において、立ち上がり部１３ｂ  の先端部と挟持片１３ｃ  とが可とう性連結部材２の上端部を挟持する挟持部を構成し、この挟持部によって可とう性連結部材２の上端部を挟んで、可とう性連結部材２を内型枠４ａと外型枠４ｂとの間の上端部に吊って仮固定できる。
【００３２】
なお、この仮固定治具１３を内型枠４ａの上端部に取り付けて可とう性連結部材２を仮固定すれば、可とう性連結部材２を単に上から吊るだけでなく、ガイド部１３ｄ  で可とう性連結部材２を外型枠４ｂ側に押し付けて緊張させることができるので、可とう性連結部材２のたるみなどを防止できて可とう性連結部材２を確実に仮固定できる効果がある。
【００３３】
【発明の効果】
この発明に係る請求項第１項記載の可とう性連結部材の仮固定部構造は、可とう性連結部材が内型枠と外型枠との間の上端部に、前記内型枠と外型枠との間に配筋された鉄筋の上端部に固定される鉄筋などからなる仮固定部材によって仮固定されているので、型枠に特別な加工を施さないで可とう性連結部材を簡単に仮固定できる効果がある。
【００３４】
この発明に係る請求項第２項記載の可とう性連結部材の仮固定治具は、可とう性連結部材を外型枠側に押し付けて保持する保持部と、この保持部に突設され、内型枠の上端部にボルト止めされる固定部とを有して構成されているので、可とう性連結部材を保持部によって外型枠側に強く押し付けて緊張させることにより、可とう性連結部材のたるみなどをなくして正確にしかも簡単に仮固定でき、また、繰り返し使用できるのできわめて経済的である。
【００３５】
この発明に係る請求項第３項記載の可とう性連結部材の仮固定治具は、可とう性連結部材の上端部を挟持する挟持部を備えた立ち上がり部と、この立ち上がり部に突設され、内型枠又は外型枠の上端部にボルト止めされる固定部とを有して構成されているので、可とう性連結部材を特に形状に左右されることなく、内型枠と外型枠との間の上端部に単に吊って簡単に仮固定できる効果がある。
【図面の簡単な説明】
【図１】（ａ）  はこの発明に係る請求項第１項記載の可とう性連結部材の仮固定部構造の一実施例を示す型枠上端部の一部縦断面図、（ｂ）  は（ａ）  におけるイ部拡大図である。
【図２】（ａ）  はこの発明に係る請求項第２項記載の可とう性連結部材の仮固定治具の一実施例を示す平面図、（ｂ）  は（ａ）  におけるロ−ロ線断面図である。
【図３】（ａ）  はこの発明に係る請求項第３項記載の可とう性連結部材の仮固定治具の一実施例を示す正面図、（ｂ）  はその側面図、（ｃ）  はその平面図である。
【図４】（ａ），（ｂ）  はこの発明に係る請求項第３項記載の可とう性連結部材の仮固定治具の一実施例を示す正面図である。
【図５】（ａ）  はこの発明に係る請求項第３項記載の可とう性連結部材の仮固定治具の他の実施例を示す正面図、（ｂ）  はその取付位置を示す型枠の平面図である。
【図６】（ａ）  は可とう性ボックスカルバートの一例を示す縦断面図、（ｂ）  は（ａ）  におけるハ−ハ線断面図である。
【図７】（ａ），（ｂ），（ｃ）  は、可とう性ボックスカルバートの成形方法の従来例の一例を示す工程図である。
【符号の説明】
１ａ，１ｂ  …ボックスカルバート本体、２…可とう性連結部材、３…目地部材、
４…鋼製カラー、４ａ…内型枠、４ｂ…外型枠、５…鉄筋、６…コンクリート、
７…仮固定部材、８…仮固定治具、８ａ…保持部、８ｂ…固定部、９…ブラケット、
１０…固定ボルト、１１…仮固定治具、１１ａ  …固定部、１１ｂ  …立ち上がり部、
１１ｃ  …垂下部、１１ｄ  …挟持片、１１ｅ  …駆動レバー、１２…緩衝部材、
１３…仮固定治具、１３ａ  …固定部、１３ｂ  …立ち上がり部、１３ｃ  …挟持片、
１３ｄ  …ガイド部。
【図１】
0003574517.tif 000002
【図２】
0003574517.tif 000003
【図３】
0003574517.tif 000004
【図４】
0003574517.tif 000005
【図５】
0003574517.tif 000006
【図６】
0003574517.tif 000007
【図７】
0003574517.tif 000008